(57)【要約】【課題】活性汚泥沈殿率の測定に際して、汲み取った汚泥の水位調整が自動的に行え、また、測定作業における手やシリンダーの汚れを回避し得る測定用シリンダーを提供する。【解決手段】シリンダー本体１には、余剰汚泥を排出するための排水管３が内装されており、オーバーフローした余剰汚泥は汚泥採取量１００％水位に位置する吸水口４に流れ込み、シリンダー本体の底部５付近に位置する排水口６から排出されるため、汲み取った汚泥の水位が自動的に調整される。【選択図】図４
0003146026.tif 000002
【実用新案登録請求の範囲】
【請求項１】
活性汚泥沈殿率を測定するための器具であって、汚泥採取量１００％水位でオーバーフローする余剰汚泥を排出するための排水管が内装されていることを特徴とする測定用シリンダー。
【請求項２】
前記排水管は前記測定用シリンダー内の汚泥採取量１００％水位に吸水口が位置し、余剰汚泥を外部に排出するための排水口が前記測定用シリンダーの底部付近に位置することを特徴とする請求項１に記載の測定用シリンダー。
【請求項３】
活性汚泥沈殿率を測定するための器具であって、汚泥採取量１００％水位でオーバーフローする余剰汚泥を排出するための排水槽が外装されていることを特徴とする測定用シリンダー。
【請求項４】
前記排水槽は汚泥採取量１００％水位となるシリンダー上端部を囲繞する態様で設けられており、余剰汚泥を排出するための排水口がその底部付近に設けてられていることを特徴とする請求項３に記載の測定用シリンダー。
【考案の詳細な説明】
【技術分野】
【０００１】
本考案は、活性汚泥法による水質浄化施設において、曝気槽中の活性汚泥の性状の目視観察、及び、濃度の指標になる３０分汚泥沈殿率測定用の測定シリンダーに関するものである。
【背景技術】
【０００２】
活性汚泥は細菌や原生動物など、多種類の好気性微生物が数多く含まれている有機性汚泥の混合物であり、曝気槽内で曝気し続けると、有機性汚水を栄養源とし、酸素を呼吸源としながら、有機物を分解して自然に増殖していく。ここで、栄養源のアンバランスや酸素濃度の過不足など、施設の運転管理上の問題が生ずると、糸状菌の大量発生による汚泥の膨化現象、すなわち汚泥の沈殿率が悪くなるという現象を来たし、処理水の質悪化を招くことになる。また、活性汚泥の量が多い場合、適切に汚泥の引き抜きを行い、適切な汚泥濃度となるよう、施設の運転管理をしなければならない。このように、汚泥の状態を適切に管理することが重要であり、その手段として活性汚泥沈殿率（ＳＶ）の測定が行われている。
【０００３】
活性汚泥沈殿率（ＳＶ）は例えば、１リットルのメスシリンダーに曝気槽の活性汚泥を採取し、３０分静置した後、沈降した活性汚泥の容量が５００ミリリットルであった場合、ＳＶは５０％であるとしている。ここで汚泥容量指標（ＳＶＩ）といわれる汚泥の沈降特性を表す指標は、次の数式により算出される。
【０００４】
（数１）    ＳＶＩ＝ＳＶ（％）×１０，０００／ＭＬＳＳ(ｍｇ／Ｌ)
【０００５】
なお、ＭＬＳＳは活性汚泥浮遊物質を意味し、活性汚泥試料中の浮遊汚泥の量である。仮に、ＭＬＳＳ量が５，０００ｍｇ／Ｌであり、ＳＶ値が５０％であれば、ＳＶＩは１００である。通常、ＳＶＩは１００〜２００程度であることが望ましいとされている。２００以上になるとバルキング状態といい、活性汚泥が沈降せず、上澄みが採れない状態であることを示す。
【考案の開示】
【考案が解決しようとする課題】
【０００６】
図１乃至図３は従来の測定手順を示すものであり、図１のように汚泥をメスシリンダーに汲み取り、次いで、１リットルにレベル合わせを行う際に、図２のように傾斜法により少しずつ余剰汚泥を捨てながら目盛合わせを行い、図３の１リットルレベルの状態にしていたが、レベル合わせをするために時間が掛かるうえ、作業に際して手を汚す等の問題点があった。そこで、本考案は汲み取った汚泥の水位調整が自動的に行え、また、測定作業に際して手やシリンダーの汚れを回避し得る測定用シリンダーの提供を課題として開発された。
【課題を解決するための手段】
【０００７】
本考案は、如上の課題を解決するため、活性汚泥沈殿率を測定するための器具であって、汚泥採取量１００％水位でオーバーフローする余剰汚泥を排出するための排水管が内装されていることを特徴とする測定用シリンダー（請求項１）を提案する。
【０００８】
具体的には、請求項１に記載の考案であって、前記排水管は前記測定用シリンダー内の汚泥採取量１００％水位に吸水口が位置し、余剰汚泥を外部に排出するための排水口が前記測定用シリンダーの底部付近に位置することを特徴とする測定用シリンダー（請求項２）を提案する。
【０００９】
本考案ではまた、如上の課題を解決するため、活性汚泥沈殿率を測定するための器具であって、汚泥採取量１００％水位でオーバーフローする余剰汚泥を排出するための排水槽が外装されていることを特徴とする測定用シリンダー（請求項３）を提案する。
【００１０】
具体的には、請求項３に記載の考案であって、前記排水槽は汚泥採取量１００％水位となるシリンダー上端部を囲繞する態様で設けられており、余剰汚泥を排出するための排水口がその底部付近に設けてられていることを特徴とする測定用シリンダー（請求項４）を提案する。
【考案の効果】
【００１１】
本考案の測定用シリンダーは、汲み上げた試料汚泥の水位調整が自動的に行えるため、従来のように手作業で何度もメスシリンダーを傾けて水位調整を行う煩わしさが解消された。また、そのような作業を繰り返し行う必要がなくなったことで、試料汚泥で手やシリンダーを汚すこともないという利点がある。
【考案を実施するための最良の形態】
【００１２】
手やシリンダーを汚すことなく汚泥の水位調整を自動的に行うという目的を、最小限の構成部材により実現し、また、汚泥の水位調整も確実に行われるようにした。
【実施例１】
【００１３】
図４は、本考案に係る測定用シリンダーの１実施例の断面図であって、１はシリンダー本体、２は目盛、３は排水管、４は吸水口、５はシリンダー底部、６は排水口、７は汚泥界面である。
【００１４】
この実施例は、排水管がシリンダー本体１に内装されている測定用シリンダーに関し、具体的には、シリンダー本体１の内部に排水管３が設けられており、シリンダー本体１に表示される汚泥採取量の目盛２が１００％となる水位に吸水口４が位置し、前記目盛２が０％寄りのシリンダー底部５の付近に排水口６が位置している。
【００１５】
この実施例に係る測定用シリンダーを用いて活性汚泥の沈殿率を測定する場合、採取した試料となる汚泥をシリンダー本体１の内部に注入していくだけで良い。すなわち、この実施例では汚泥採取量が１００％水位よりも高さのあるシリンダーを採用しており、汚泥をシリンダー本体１内に注入すると水位が徐々に上昇し、いよいよ汚泥採取量の目盛２が１００％の水位まで到達すると、余剰汚泥がオーバーフローして排水管３の吸水口４に流れ込み、シリンダー底部５付近に位置する排水口６からシリンダー外部に排出されるため、測定に必要な汚泥の水位が自動的に調整されることになる。かくして、シリンダーを何度も傾けることなく、また、それにより手やシリンダーを汚すこともなく、必要となる汚泥が汲み上げられたら、シリンダー本体１を３０分静置することで、沈降した汚泥界面７を目視により読み取ることで、活性汚泥沈殿率（ＳＶ）を測定することができる。
【実施例２】
【００１６】
図５は、本考案に係る測定用シリンダーの別の実施例の断面図であって、８はシリンダー本体、９は目盛、１０はシリンダー上端部、１１は排水槽、１２は排水口、１３は汚泥界面である。
【００１７】
この実施例は、排水槽がシリンダー本体８に外装されている測定用シリンダーに関し、具体的には、汚泥採取量が１００％水位となるシリンダー上端部１０を囲繞する態様で、受け皿状の排水槽１１が設けられており、その底部付近に排水口１２が設けられている。
【００１８】
この実施例に係る測定用シリンダーを用いて活性汚泥の沈殿率を測定する場合も、前記した実施例と同様、採取した試料となる汚泥をシリンダー本体８の内部に注入するだけで良い。すなわち、この実施例では高さが汚泥採取量１００％水位のシリンダーを採用しており、汚泥をシリンダー本体８内に注入すると水位が徐々に上昇し、いよいよ汚泥採取量の目盛９が１００％の水位まで到達すると、余剰汚泥がオーバーフローしてシリンダー上端部１０から排水槽１１に流れ込み、その底部に設けられた排水口１２からシリンダー外部に排出されるため、測定に必要な汚泥の水位が自動的に調整されることになる。かくして、シリンダーを何度も傾けることなく、また、それにより手やシリンダーを汚すこともなく、必要となる汚泥が汲み上げられたら、シリンダー本体８を３０分静置することで、沈降した汚泥界面１３を目視により読み取ることで、活性汚泥沈殿率（ＳＶ）を測定することができる。
【産業上の利用可能性】
【００１９】
シリンダー本体の内部に排水管を、又は、シリンダー上端部に排水槽を設けたことで、自動的に採取した試料となる汚泥の水位が調整されるため、作業員の手やシリンダーを汚さずに、如何なる現場でも測定を行うことができる。
【図面の簡単な説明】
【００２０】
【図１】従来の測定手順を示す図面代用写真である。
【図２】従来の測定手順を示す図面代用写真である。
【図３】従来の測定手順を示す図面代用写真である。
【図４】測定用シリンダーの実施例の断面図である。（実施例１）
【図５】測定用シリンダーの実施例の断面図である。（実施例２）
【符号の説明】
【００２１】
１、８    シリンダー本体
２、９    目盛
３    排水管
４    吸水口
５    シリンダー底部
６    排水口
７、１３    汚泥界面
１０  シリンダー上端部
１１  排水槽
１２  排水口
【図１】
0003146026.tif 000003
【図２】
0003146026.tif 000004
【図３】
0003146026.tif 000005
【図４】
0003146026.tif 000006
【図５】
0003146026.tif 000007